(57)【要約】【課題】パネルの連結角度を変更可能な、耐久性の高いパネル連結具を提供すること。【解決手段】パネル連結具２０を、ケース２１とマグネット２２から構成する。ケース２１は、背面板２１ａと背面板２１ａに連設されて左右方向に対向する一対の側面板２１ｂとを有し、正面方向および前後方向に開口している。マグネット２２は、ケース２１の背面板２１ａと側面板２１ｂにより区画される格納空間に格納されている。ケースの正面から磁性金属からなるパネル１０の縁巻１２をその軸心がケースの前後方向と一致するように並列した状態で挿入する。両縁巻１２は、マグネット２２に吸着されることで、パネル１０はパネル連結具２０を介して連結される。両パネル１０は、縁巻１２を中心に回転可能なため、パネル同士の連結角度を自由に変更可能である。パネル連結具２０は、パネル１０の回転操作中に変形しないため、変形に伴なう損傷の発生が防止され、耐久性にも問題がない。【選択図】図２
2020051685.tif 000002
【特許請求の範囲】
【請求項１】
磁性体からなる縁巻を有するパネル同士を連結するためのパネル連結具であって、
背面板と背面板に連設され左右方向に対向する一対の側面板とを有し、正面方向および前後方向に開口しているケースと、
前記ケースの背面板と一対の側面板により区画される格納空間に格納されているマグネットと、を備え、
前記ケースの開口する正面から前記両パネルの縁巻をその軸心が前記ケースの前後方向と一致するように並列して挿入し、それぞれ前記マグネットに吸着させることで、前記各パネルが前記縁巻を中心に回転可能なように、前記マグネットを介して連結可能なパネル連結具。
【請求項２】
前記ケースは、
前記一対の側面板の正面側の開口縁にそれぞれ連設される内向きのフランジを有する請求項１に記載のパネル連結具。
【請求項３】
前記一対のフランジ間の開口幅は、前記マグネットを前記正面方向に抜き取り不能な大きさに設定されている請求項２に記載のパネル連結具。
【請求項４】
前記一対のフランジは、その先端が離間する向きにそれぞれ湾曲している請求項２または３に記載のパネル連結具。
【請求項５】
前記ケースは、磁性金属製であり、
前記マグネットは、前記ケースに吸着することでケースに対して固定されている請求項１から４のいずれかに記載のパネル連結具。
【請求項６】
パネル本体と、パネル本体の外周に連設される磁性体からなる縁巻を有する複数の油除けパネルと、
隣接する前記油除けパネル同士を連結する請求項１から５のいずれかに記載の複数のパネル連結具と、からなるパネル連結体。
【請求項７】
前記パネル連結具のケースの正面の開口幅をＷ（ｍｍ）、前記油除けパネルの縁巻の径をＲ（ｍｍ）とした場合、２Ｒ＋０．２ｍｍ≦Ｗ≦２Ｒ＋４．０ｍｍが成立する請求項６に記載のパネル連結体。
【請求項８】
前記パネル連結具のケースの正面の開口縁からマグネットに突き当たるまでの開口深さをＤ、前記油除けパネルの縁巻の径をＲとした場合、０．５Ｒ≦Ｄ≦１．０Ｒが成立する請求項６または７に記載のパネル連結体。
【請求項９】
前記油除けパネルの縁巻は、隣り合う一対の油除けパネルが開く方向に凸となるように、その軸心がパネル本体の板面の延長面上からずれている請求項６から８のいずれかに記載のパネル連結体。
【発明の詳細な説明】
【技術分野】
【０００１】
本発明は、パネル同士を連結するパネル連結具およびパネル連結具により油除けパネルを連結してなるパネル連結体に関する。
【背景技術】
【０００２】
キッチンにてクッキングヒーター等を用いた食品の加熱調理中に、油が周囲に飛散するのを防止するため、複数の油除けパネルから構成されるパネル連結体により、レンジを囲うことがおこなわれている。
油除けパネルは、一般にはそれぞれ矩形の、背面パネルと、左右の側面パネルとからなり、これらがパネル連結具により連結されて、背面パネルがレンジ等の背部に、左右の側面パネルがクッキングヒーター等の両側部に位置するように設置される。油除けパネルが飛散した油を受け止めるため、キッチン回りが油で汚れることが防止される。
【０００３】
従来のパネル連結具としては、特許文献１のように、隣り合う油除けパネルの板面同士がほぼ直角をなす状態で、両パネルを連結するパネル連結具や、特許文献２のように、弾性を有して撓み変形可能なパネル連結具が知られている。
【先行技術文献】
【特許文献】
【０００４】
【特許文献１】特開２０１２−１０２９１３号公報
【特許文献２】特開２０１７−１１６１３３号公報
【発明の概要】
【発明が解決しようとする課題】
【０００５】
しかし、特許文献１のパネル連結具の場合、隣り合う油除けパネル同士の連結角度がほぼ直角に固定されてしまうため、油除けパネル連結体の設置態様の自由度が低い。したがって、近年のキッチンやクッキングヒーター等の形態の多様化に対応しきれず、汎用性に欠ける問題がある。
また、特許文献１のパネル連結具の場合、油除けパネルの縁巻にスナップフィットするクリップ状の構造をしているため、縁巻への付け外しに力を要し、パネル連結体の組み立てや分解に手間がかかる問題もある。
【０００６】
一方、特許文献２のパネル連結具の場合、撓み変形させることで隣り合う油除けパネル同士の連結角度を調整可能であり、油除けパネル連結体の設置態様の自由度は改善されている。
しかしながら、設置の都度、撓み変形させることになると、繰り返しの曲げ負荷がかかることで損傷（ひび割れや裂け）のおそれがあり、耐久性に問題がある。
また、かかる撓み変形可能なパネル連結具の材質は、ゴムやエラストマーに限られてしまうことから耐熱性に劣り、キッチン回りのような高温にさらされる環境では、熱劣化して発火するなどするおそれもある。
【０００７】
そこで本発明の解決すべき課題は、パネル連結具およびそのパネル連結具を用いたパネル連結体について、パネルの連結角度を変更容易とし、パネル連結体への組立およびパネル連結体からの分解を容易とし、かつ耐久性を向上させることである。
【課題を解決するための手段】
【０００８】
上記した課題を解決するため、発明にかかるパネル連結具を、背面板と背面板に連設されて左右方向に対向する一対の側面板とを有し、正面方向および前後方向に開口しているケースと、前記ケースの背面板と一対の側面板により区画される格納空間に格納されているマグネットと、を備える構成としたのである。
そして、使用の際には、ケースの正面からパネルの磁性体からなる縁巻をその軸心がケースの前後方向と一致するように並列して挿入し、それぞれマグネットに吸着させることで、各パネルが縁巻を中心に回転可能なように、マグネットを介して連結することとしたのである。
【０００９】
発明にかかるパネル連結具をこのように構成すると、マグネットに吸着した縁巻を中心にしてパネルを回転操作することで、隣り合うパネル同士の連結角度を、パネル連結体の設置箇所の状況に応じて自由に変更することができる。
また、パネルを回転させる際に、パネル連結具を変形させる必要がないため、変形に伴なう損傷が発生せず、耐久性にも優れている。
パネルの縁巻は、パネル連結具のマグネットに磁力で吸着しているだけであるから、付け外しが容易であり、パネル連結体を組み立てたり分解したりすることがスムーズに行われる。
ここでパネルの縁巻は、マグネットの吸着面に沿ってずれ動こうとするが、パネル連結具の側面板に突き当たるため、ずれ動きの範囲が両側面板間に規制されることになる。したがって、外部からの衝撃等によりパネルが大きくずれ動いて、意図せずしてパネル連結具から外れることが防止される。
【００１０】
発明にかかるパネル連結具において、前記ケースは、一対の側面板の正面側の開口縁に連設される内向きのフランジをさらに有する構成を採用するのが好ましい。
このように構成すると、パネルの縁巻はフランジに突き当たることでパネルのずれ動きの範囲が、側面板に突き当たる場合よりもさらに狭い範囲に限定されるため、パネルがパネル連結具から外れることが一層防止される。
マグネットは、フランジよりもさらに奥側（ケースの背面側）で、一対の側面板間の格納空間に格納され、この側面板間の間隔はフランジ間の間隔よりも広いため、フランジを設けることによってマグネットの格納スペースが制約されることもない。
【００１１】
発明にかかるパネル連結具において、前記一対のフランジ間の開口幅は、前記マグネットを前記正面方向に抜き取り不能な大きさに設定されている構成を採用するのが好ましい。
このように構成すると、パネル連結体の使用中に、パネルの縁巻に吸着したマグネットがケースの正面から抜け出て、パネル連結具が分離してしまうことが防止される。
【００１２】
発明にかかるパネル連結具において、前記一対のフランジは、その先端が離間する向きにそれぞれ湾曲している構成を採用するのが好ましい。
このように構成すると、パネル連結具のフランジの先端が、パネルの縁巻などに引っかかって、パネルを傷つけることが防止される。
【００１３】
発明にかかるパネル連結具において、前記ケースは、磁性金属製であり、前記マグネットは、前記ケースに吸着することでケースに対して固定されている構成を採用するのが好ましい。
このように構成すると、ケース内でマグネットを固定するのに接着剤等を必要とせず、ケース内にマグネットを挿入するだけでパネル連結具の組立が完了するため利便性が高い。
また、ケースもマグネットも金属製であるため、耐熱性が高く、パネル連結体をレンジ回りなどの高温の使用環境で使用することができる。
【００１４】
上記した課題を解決するため、発明にかかるパネル連結体を、パネル本体とパネル本体の外周に連設される磁性体からなる縁巻を有する複数の油除けパネルと、隣接する前記油除けパネル同士を連結する、複数の発明にかかるパネル連結具と、からなる構成としたのである。
【００１５】
発明にかかるパネル連結体において、前記パネル連結具のケースの正面の開口幅をＷ（ｍｍ）、前記油除けパネルの縁巻の径をＲ（ｍｍ）とした場合、２Ｒ＋０．２ｍｍ≦Ｗ≦２Ｒ＋４ｍｍが成立する構成を採用するのが好ましい。
開口幅Ｗが２Ｒ＋０．２ｍｍを下回ると、隣り合う油除けパネルの両縁巻をケースの正面開口から挿入してマグネットに吸着させた場合、縁巻とケースの側面板との隙間が小さすぎて、油除けパネルを回転操作する際に縁巻と側面板とが擦れるなどして、縁巻が損傷したり、摩擦により回転操作に力を要したりするおそれがある。
開口幅Ｗが２Ｒ＋４ｍｍを上回ると、縁巻とケースの側面板との隙間が大きすぎて、回転操作の際に油除けパネルがずれ動いてパネル連結具から外れやすくなるおそれがある。
【００１６】
発明にかかるパネル連結体において、前記パネル連結具のケースの正面の開口縁からマグネットに突き当たるまでの開口深さをＤ、前記油除けパネルの縁巻の径をＲとした場合、０．５Ｒ≦Ｄ≦１．０Ｒが成立する構成を採用するのが好ましい。
開口深さＤが０．５Ｒを下回ると、油除けパネルの縁巻の全周のうち半周に満たない箇所しかケースの開口に差し込まれていないことになるため、差し込みが浅すぎて、油除けパネルを回転操作する際に、縁巻がケースの開口から抜け出して、パネル連結具から外れやすくなるおそれがある。
開口深さＤが１．０Ｒを上回ると、油除けパネルは縁巻の全体とパネル本体の一部がケースの開口に差し込まれることになるため、差し込みが深すぎて、油除けパネルを回転操作する際に、パネル本体の板面がパネル連結具のケースの開口縁に突き当たりやすく、回転範囲が制約されたり、パネル本体が傷ついてしまったりするおそれがある。
【００１７】
発明にかかるパネル連結体において、前記油除けパネルの縁巻は、隣り合う一対の油除けパネルが開く方向に凸となるように、その軸心がパネル本体の板面の延長面上からずれている構成を採用するのが好ましい。
このように構成すると、隣り合う一対の油除けパネルを閉じる方向に回転操作する場合に、その方向には縁巻は突出していないため邪魔にならず、パネル本体同士をぴったりと重ね合わせることができる。
また隣り合う油除けパネルを開く方向に回転操作する場合にも、その方向に縁巻が突出している分だけ、パネル本体とパネル連結体のケースの正面側の開口縁とが離間している。このため、大きく開いてもパネル本体がケースの開口縁に突き当たりにくくなり、油除けパネルの連結角度の自由度が上がる。
【発明の効果】
【００１８】
本発明を以上のように構成したので、パネル連結具およびそのパネル連結具を用いたパネル連結体について、パネル同士の連結角度を変更容易となり、組立分解が容易となり、耐久性が向上することとなった。
【図面の簡単な説明】
【００１９】
【図１】実施形態のパネル連結体の使用状態を示す斜視図
【図２】実施形態のパネル連結体の要部分解斜視図
【図３】実施形態のパネル連結体の寸法関係を示す要部拡大図
【図４】実施形態のパネル連結体のパネルの回転操作を示す要部拡大図
【図５】他の実施形態のパネル連結体の要部拡大図
【発明を実施するための形態】
【００２０】
以下、図面を参照しつつ、本発明の実施形態について説明する。
図１から図４に示す実施形態のパネル連結体１は、複数の油除けパネル１０と、隣り合う油除けパネル同士を連結する複数の実施形態のパネル連結具２０とからなる。
実施形態のパネル連結体１は、キッチンＫのクッキングヒーターＣを囲い、加熱調理中に調理器具等から飛散する油を油除けパネル１０により受け止めることで、キッチンＫの周囲が油で汚れるのを防止する用途に用いられる。
【００２１】
図１のように、油除けパネル１０は、クッキングヒーターＣの左右の側部をそれぞれ囲う対向する一対のパネルと、クッキングヒーターＣの背部を囲う並列する一対のパネルの、計４つのパネルからなり、各油除けパネル１０は、パネル本体１１と、縁巻１２とからなる。
【００２２】
図１のように、パネル本体１１は、角隅が丸みを帯びた略矩形をなしている。パネル本体１１はその板面がほぼ平坦であるが、プレス加工等により図示省略のリブが設けられるなどして補強されている。
縁巻１２は、パネル本体１１の全周に付属している。縁巻１２は、全体が略円筒形をなしており、かつその径はほぼ均一となっている。
図２から図４のように、縁巻１２は、隣り合う一対の油除けパネル１０が開く方向に凸となるように、その軸心Ｏがパネル本体１１の板面の延長面上からずれた状態に形成されている。
油除けパネル１０は、その全体が磁性金属からなり、マグネットに吸着可能となっている。磁性金属の種類は特に限定されず、鉄、磁性ステンレスが例示できるが、安価で比較的パネルへの成形が容易でありかつ耐久性に優れたものとして鋼板が好ましい。
【００２３】
図１から図４のように、実施形態のパネル連結具２０は、ケース２１と、複数のマグネット２２とからなる。
ケース２１は、背面板２１ａと、この背面板２１ａの左右縁に連設される一対の側面板２１ｂと、各側面板２１ｂの正面側の縁部に連設されるフランジ２１ｃと、からなり、正面方向および前後方向に開口している。
ケース２１は、板状体を略コの字型に折り曲げ加工するなどして、背面板２１ａ、側面板２１ｂおよびフランジ２１ｃが一体に形成されている。
【００２４】
図２のように、背面板２１ａは矩形をなしている。一対の左右の側面板２１ｂも矩形をなして、背面板２１ａから垂直に立ち上がって左右方向に対向している。背面板２１ａと一対の側面板２１ｂにより、ケース２１の内部に格納空間が形成されている。
【００２５】
図２から図４のように、フランジ２１ｃは、左右の側面板２１ｂからそれぞれ内向き（互いに接近する向き）に延びており、かつその先端が離反する向きに湾曲している。
図示のように、一対のフランジ２１ｃは、それぞれ略半円筒形をなしており、その湾曲の凸側の面（膨らんだ側の面）がケース２１の左右方向に対向している。その径は、油除けパネル１０の縁巻１２の径よりも小さくなっている。
図３のように、フランジ２１ｃ間の距離、すなわちケース２１の正面側の開口幅は、その開口幅をＷとし、油除けパネルの縁巻の径をＲとした場合、２Ｒ＋０．２ｍｍ≦Ｗ≦２Ｒ＋４．０ｍｍの式が成立するように設定されている。好ましくは、２Ｒ＋０．５ｍｍ≦Ｗ≦２Ｒ＋２．０ｍｍ、より好ましくは、２Ｒ＋０．８ｍｍ≦Ｗ≦２Ｒ＋１．２ｍｍである。なお、この開口幅は縁巻が入る幅であればよく、上述の式を満たすことは必須ではないが、油除けパネル１０の付け外しを容易とするには上述の式が成立するのが好ましい。
【００２６】
実施形態のパネル連結具２０のケース２１は、その全体が磁性金属からなり、マグネットが吸着可能となっている。磁性金属の種類は特に限定されず、鉄、磁性ステンレスが例示できるが、安価で耐久性に優れたものとして鋼板が好ましい。
【００２７】
図２から図４のように、各マグネット２２は、正面、背面、左右の側面、前後の端面を有する直方体形（ブロック形）をなしている。マグネットの種類は特に限定されず、フェライト磁石、ネオジム磁石、コバルト磁石が例示される。
各マグネット２２は、ケース２１の前後方向の開口から、格納空間にそれぞれ挿入され、磁力の作用によりケース２１の背面板２１ａに吸着することでケース２１に対して固定されている。
ケース２１の左右の側面板２１ｂやフランジ２１ｃとマグネット２２の間には、若干の隙間が形成されている。複数のマグネット２２は、ケース２１の前後方向に若干の隙間をあけて並列している。
【００２８】
図４のように、マグネット２２の左右方向の幅は、ケース２１の正面側の開口幅よりも大きいため、マグネット２２をケース２１の正面側の開口から抜き出せないようになっている。
図３のように、ケース２１のフランジ２１ｃ間に形成される正面側の開口縁から、マグネット２２に突き当たるまでの開口深さは、その開口深さをＤとし、油除けパネルの縁巻の径をＲとした場合、０．５Ｒ≦Ｄ≦１．０Ｒが成立するように設定されている。より好ましくは、０．６Ｒ≦Ｄ≦０．８Ｒである。
【００２９】
図２および図４のように、複数の油除けパネル１０は、隣り合った状態でその縁巻１２がパネル連結具２０のケース２１の正面側の開口から挿入され、マグネット２２に吸着されることでパネル連結具２０を介して連結されている。
この状態で、油除けパネル１０の縁巻１２の軸心の方向は、パネル連結具２０のケース２１の前後方向と一致しており、縁巻１２はケース２１を前後方向に貫通している。
図１のように、複数のパネル連結具２０は、縁巻１２の軸心に沿って並列した状態で、隣り合う油除けパネル１０同士を連結している。隣り合う油除けパネル１０を複数箇所で連結することで、連結強度が高まっている。
上述した図３に示す開口幅Ｗ、開口深さＤ、縁巻径Ｒの寸法関係から、隣り合う油除けパネル１０の縁巻１２がそれぞれマグネット２２の中心部にて連結された場合、図４のように、並列する縁巻１２の外側とケース２１のフランジ２１ｃとの間には小さな隙間（上述の開口幅として２Ｒ＋０．２ｍｍ≦Ｗ≦２Ｒ＋４．０ｍｍを採用したときには０．１〜２．０ｍｍの隙間、好ましい開口幅として２Ｒ＋０．５ｍｍ≦Ｗ≦２Ｒ＋２．０ｍｍを採用したときには０．２５〜１．０ｍｍの隙間、より好ましい開口幅として２Ｒ＋０．８ｍｍ≦Ｗ≦２Ｒ＋１．２ｍｍを採用したときには０．４〜０．６ｍｍの隙間）が形成される。なお、縁巻が開口へ収まるのであればこの隙間は必須ではないが付け外しを容易とするには上述の隙間が形成されているのが好ましい。また、縁巻１２は、その全体のうち、半周以上かつ全周以下の箇所が、ケース２１の正面側の開口から内部へと差し込まれている。
【００３０】
油除けパネル１０は、その縁巻１２がマグネット２２に磁力で吸着しているのみによりパネル連結具２０に連結されているから、図４（ａ）から（ｃ）のように、その縁巻１２を中心に回転操作することが可能となっている。
図示では、各油除けパネル１０が０〜９０度の範囲で回転可能であるため、両油除けパネル間の開き角度（連結角度）が、０〜１８０度の範囲で調節できるようになっている。
【００３１】
今回開示された実施形態および実施例はすべての点で例示であって制限的なものではない。本発明の範囲は特許請求の範囲によって示され、特許請求の範囲内およびこれと均等の意味でのすべての修正と変形を含む。
【００３２】
実施形態では、パネル連結具２０のケース２１がフランジ２１ｃを有するものとしたが、図５（ａ）のように、フランジ２１ｃは省略することができ、ケース２１を背面板２１ａと側面板２１ｂのみからなる構成とすることができる。この場合、油除けパネル１０の縁巻１２がケース２１の側面板２１ｂに突き当たることで、油除けパネル１０のずれ動きが防止されることになる。
また、ケース２１がフランジ２１ｃを有する場合であっても、そのフランジ２１ｃの形状は、実施形態の半円筒形状に限定されず、たとえば図５（ｂ）のように、側面板２１ｂから内向きにまっすぐに伸びて先端同士が対向する構成としてもよい。
ケース２１の背面板２１ａ、側面板２１ｂおよびフランジ２１ｃには、ケース２１内にマグネット２２や油除けパネル１０の縁巻１２を保持可能な限りにおいて、孔、スリット等を設けてもよい。
【００３３】
実施形態では、パネル連結具２０のケース２１を磁性金属製としているが、非磁性金属製や樹脂製としてもよく、ケース２１に対するマグネット２２の固定は、磁力による吸着ではなく、接着剤等を用いた固定としてもよい。また、インサート成型などの手法を用いてマグネット２２を固定したい箇所にのみ磁性金属を用い、他の箇所を樹脂製としたようなケース２１としても構わない。
また、実施形態では、ケース２１の背面板２１ａと側面板２１ｂ等とを一体に形成しているが、別体に形成した後に一体化してもよい。たとえば、背面板２１ａのみを磁性金属製とし、側面板２１ｂ等は非磁性金属製や樹脂製としてもよい。側面板２１ｂのみを磁性金属製として、マグネット２２は側面板２１ｂに吸着させることでケース２１内に固定してもよい。
【００３４】
実施形態では、パネル連結具２０のマグネット２２は、ブロック形をしているがマグネット２２の形状はケース２１に格納可能な限りにおいてこれに限定されず、たとえば円柱形としてもよい。
また、実施形態ではマグネット２２は、ケース２１内に２つ格納されている構成としたが、単一のマグネット２２が格納されている構成としてもよいし、３つ以上のマグネット２２が格納されている構成としてもよい。
【００３５】
実施形態では、パネル連結体１を構成するパネルを油除けパネル１０としたが、パネルの種類はこれに限定されず、たとえば劇薬の飛散を防止するためのパネルとして、パネル連結体１を実験用器具として用いてもよい。
実施形態では、油除けパネル１０のパネル本体１１と縁巻１２とを一体に形成しているが、別体に形成した後に一体化してもよい。たとえば、縁巻１２のみを磁性体から形成し、パネル本体１１を非磁性体から形成してもよい。
実施形態では、油除けパネル１０の全周に縁巻１２を設けているが、縁巻１２の形成範囲はこれに限定されず、たとえば、隣り合う油除けパネル１０の連結する辺にのみ縁巻１２を設けてもよい。
【００３６】
実施形態では４枚の油除けパネル１０からなるパネル連結体を例示したが、油除けパネル１０の枚数はこれに限定されず、３枚としたり５枚以上としたりすることもできる。
パネル連結具２０の個数も実施形態に限定されず、油除けパネル１０の枚数に応じて適宜増減可能である。また、実施形態では、隣り合う油除けパネル１０間を上下２つのパネル連結具２０で連結する構成を例示したが、単一のパネル連結具２０で連結してもよいし、３個以上のパネル連結具２０で連結してもよい。
【符号の説明】
【００３７】
１  実施形態のパネル連結体
１０  油除けパネル
１１  パネル本体
１２  縁巻
２０  実施形態のパネル連結具
２１  ケース
２１ａ  背面板
２１ｂ  側面板
２１ｃ  フランジ
２２  マグネット
Ｗ  ケースの開口幅
Ｄ  ケースの開口深さ
Ｒ  縁巻の径
Ｏ  縁巻の軸心
Ｋ  キッチン
Ｃ  クッキングヒーター
【図１】
2020051685.tif 000003
【図２】
2020051685.tif 000004
【図３】
2020051685.tif 000005
【図４】
2020051685.tif 000006
【図５】
2020051685.tif 000007